(57)【特許請求の範囲】
【請求項１】
少なくとも景品価値情報と未買取のものであるか又は買取済みのものであるかを示す買取情報とを記憶する情報記憶部を有する景品を受け入れる景品受入部と、該景品受入部にて受け入れた景品における前記情報記憶部に記憶された情報を読み取る情報読取手段と、該情報読取手段により読み取られた買取情報に基づいて、前記景品受入部にて受け入れた景品が未買取のものであるか又は買取済みのものであるかを判定する買取情報判定手段とを備えた景品買取装置であって、
前記買取情報判定手段より前記景品が未買取のものであると判定された場合に、当該景品の情報記憶部に記憶されている買取情報を、買取済みのものとなるように更新する更新手段と、
前記更新手段による前記更新が正常に行われたか否かを判定する更新判定手段と、
前記更新判定手段により前記更新が正常に行われたと判定された景品を収容する正常景品収容部と、
前記更新判定手段により前記更新が正常に行われなかったと判定された景品を収容する異常景品収容部と、
前記更新判定手段による判定結果に応じて、前記景品を前記正常景品収容部又は異常景品収容部へ振り分ける振分け手段とを備えていることを特徴とする景品買取装置。
【請求項２】
請求項１記載の景品買取装置において、
前記買取情報判定手段により前記景品が未買取のものであると判定された場合に、前記情報読取手段により読み取られた景品価値情報に基づいて貨幣を払い出す貨幣払出手段を更に備えていることを特徴とする景品買取装置。
【請求項３】
請求項１又は２記載の景品買取装置において、
前記更新手段は、前記買取情報の更新に加えて、該更新の日時の情報を前記景品の情報記憶部に書き込むように構成されていることを特徴とする景品買取装置。
【請求項４】
請求項１〜３のいずれか１項に記載の景品買取装置において、
前記正常景品収容部及び異常景品収容部に収容される景品の数をそれぞれ集計する集計手段を更に備えていることを特徴とする景品買取装置。
【請求項５】
請求項１〜４のいずれか１項に記載の景品買取装置において、
前記景品の情報記憶部には、前記景品価値情報及び買取情報に加えて、景品毎に異なる景品識別符号の情報が記憶されており、
前記異常景品収容部に収容される景品の情報記憶部に記憶されかつ前記情報読取手段により読み取られた景品識別符号情報を記憶する記憶手段と、
前記記憶手段に記憶された景品識別符号情報を出力する出力手段とを更に備えていることを特徴とする景品買取装置。
【請求項６】
少なくとも景品価値情報と未買取のものであるか又は買取済みのものであるかを示す買取情報とを記憶する情報記憶部を有する景品を受け入れる景品受入部と、該景品受入部にて受け入れた景品における前記情報記憶部に記憶された情報を読み取る情報読取手段と、該情報読取手段により読み取られた買取情報に基づいて、前記景品受入部にて受け入れた景品が未買取のものであるか又は買取済みのものであるかを判定する買取情報判定手段とを有する景品買取装置と、
前記景品買取装置と通信可能に接続され、前記景品買取装置の情報読取手段により読み取られた景品価値情報を該景品買取装置より受信して、該景品価値情報に基づいて貨幣を払い出す貨幣払出装置とを含む景品買取システムであって、
前記景品買取装置は、
前記買取情報判定手段より前記景品が未買取のものであると判定された場合に、当該景品の情報記憶部に記憶されている買取情報を、買取済みのものとなるように更新する更新手段と、
前記更新手段による前記更新が正常に行われたか否かを判定する更新判定手段と、
前記更新判定手段により前記更新が正常に行われたと判定された景品を収容する正常景品収容部と、
前記更新判定手段により前記更新が正常に行われなかったと判定された景品を収容する異常景品収容部と、
前記更新判定手段による判定結果に応じて、前記景品を前記正常景品収容部又は異常景品収容部へ振り分ける振分け手段と
を備えていることを特徴とする景品買取システム。
【発明の詳細な説明】
【技術分野】
【０００１】
本発明は、パチンコホールやゲームセンター等の遊技ホールが遊技客に提供した景品を買い取る景品買取装置及び景品買取システムに関する技術分野に属する。
【背景技術】
【０００２】
従来より、この種の景品買取装置はよく知られており（例えば特許文献１及び２参照）、この装置では、景品価値情報や偽造判定のためのセキュリティ情報等を記憶する、ＩＣタグ等からなる情報記憶部を有する景品（特殊景品）が投入されると、その景品の情報記憶部に記憶された情報を読み取って、当該景品の真偽や価値を識別し、その景品価値情報に応じた金額の貨幣（紙幣や硬貨）を自動的に払い出すようにしている。一方、情報が読み取れない景品や、偽造の可能性がある景品は返却する。尚、貨幣払出機能を景品買取装置とは別体の貨幣払出装置に持たせて、景品買取装置と貨幣払出装置とを通信可能に接続する場合もある。
【０００３】
前記景品買取装置で買い取った景品は、景品問屋が買い取り、リサイクル使用すべく、景品問屋から再び遊技ホールへ卸されて、遊技ホールに設置された景品払出機に装填され、この景品払出機によって、遊技ホールの遊技客が獲得した球やメダル等と引き替えに景品が払い出される。
【特許文献１】特開平６−４７１６１号公報
【特許文献２】特開２００５−２１８５９９号公報
【発明の開示】
【発明が解決しようとする課題】
【０００４】
ところで、前記景品の情報記憶部に、当該景品が未買取のものであるか又は買取済みのものであるかを示す買取情報を記憶するようにしておき、景品買取装置に投入された景品の情報記憶部の買取情報に基づいて、当該景品が未買取のものであるか又は買取済みのものであるかを判定して、景品が未買取のものであると判定したときに、当該景品買取装置の貨幣払出機能により、又は景品買取装置とは別体の貨幣払出装置により、貨幣を払い出すようにすれば、不正に入手した景品に対して貨幣を払い出すのを防止できるようになる。この場合、景品払出機が景品を払い出す際に、買取情報を未買取のものとなるように書き込み、景品買取装置が、その景品を買い取った後に、買取情報を買取済みのものとなるように更新するようにすればよい。
【０００５】
このように景品買取装置が買取情報の更新を行う場合、その景品買取装置の不具合や景品の情報記憶部の故障等により、買取情報の更新が正常に行われない場合が考えられ、更新が正常に行われたか否かを検査しないで景品がリサイクル使用されると、景品払出機でトラブルが生じたり、更新が正常に行われなかった景品が不正に使用されたりするという問題がある。
【０００６】
そこで、係員が景品買取装置に収容されている景品を回収する際に、その景品全てを検査するようにすることが考えられるが、景品買取装置に収容されている景品は多数有り、その作業は非常に面倒であり、多大な時間を要する。
【０００７】
本発明は、斯かる点に鑑みてなされたものであり、その目的とするところは、前記のように景品の情報記憶部に記憶されている買取情報の更新を行う場合に、その更新が正常に行われなかった景品を、更新が正常に行われた景品と容易に区別できるようにすることにある。
【課題を解決するための手段】
【０００８】
前記の目的を達成するために、この発明では、景品の情報記憶部に記憶されている買取情報の更新が正常に行われたか否かを判定して、その判定結果に応じて、景品を正常景品収容部又は異常景品収容部へ振り分けるようにした。
【０００９】
具体的には、請求項１の発明では、少なくとも景品価値情報と未買取のものであるか又は買取済みのものであるかを示す買取情報とを記憶する情報記憶部を有する景品を受け入れる景品受入部と、該景品受入部にて受け入れた景品における前記情報記憶部に記憶された情報を読み取る情報読取手段と、該情報読取手段により読み取られた買取情報に基づいて、前記景品受入部にて受け入れた景品が未買取のものであるか又は買取済みのものであるかを判定する買取情報判定手段とを備えた景品買取装置を対象とする。
【００１０】
そして、前記買取情報判定手段より前記景品が未買取のものであると判定された場合に、当該景品の情報記憶部に記憶されている買取情報を、買取済みのものとなるように更新する更新手段と、前記更新手段による前記更新が正常に行われたか否かを判定する更新判定手段と、前記更新判定手段により前記更新が正常に行われたと判定された景品を収容する正常景品収容部と、前記更新判定手段により前記更新が正常に行われなかったと判定された景品を収容する異常景品収容部と、前記更新判定手段による判定結果に応じて、前記景品を前記正常景品収容部又は異常景品収容部へ振り分ける振分け手段とを備えているものとする。
【００１１】
前記の構成により、買取情報判定手段により景品が未買取のものであると判定された場合には、更新手段により買取情報の更新が行われ、更新判定手段によって、その更新が正常に行われたか否かが判定される。そして、振分け手段によって、更新判定手段による更新が正常に行われたと判定された景品は正常景品収容部に振り分けられて収容され、更新判定手段による更新が正常に行われなかったと判定された景品は異常景品収容部に振り分けられて収容される。したがって、景品買取装置から景品を回収する係員は、異常景品収容部に収容されている景品が、更新が正常に行われなかった景品であることが直ぐに分かり、更新が正常に行われなかった景品を、更新が正常に行われた景品とは別に回収して、更新が正常に行われなかった原因の調査等に直ぐに回すことができる。一方、正常景品収容部に収容されている景品は、異常がなくて、異常の有無の検査をすることなくリサイクル使用することができる。尚、本発明では、景品買取装置が、貨幣払出機能を有していてもよく、有していなくてもよい。
【００１２】
請求項２の発明では、請求項１の発明において、前記買取情報判定手段により前記景品が未買取のものであると判定された場合に、前記情報読取手段により読み取られた景品価値情報に基づいて貨幣を払い出す貨幣払出手段を更に備えているものとする。
【００１３】
このことで、貨幣払出機能を景品買取装置とは別体の貨幣払出装置に持たせる必要がなく、これにより、貨幣払出機能を含めた全体として取り扱いが容易となり、係員が常駐していない無人の景品交換所に設置する場合に好適となる。
【００１４】
請求項３の発明では、請求項１又は２の発明において、前記更新手段は、前記買取情報の更新に加えて、該更新の日時の情報を前記景品の情報記憶部に書き込むように構成されているものとする。
【００１５】
このことにより、更新が正常に行われなかったときの日時が分かり、これにより、更新が正常に行われないという現象がどのようなタイミングで発生しているのかといった情報が得られ、更新が正常に行われない原因の調査、解析が容易になる。また、例えば、景品買取装置に監視カメラを設置している場合には、その監視カメラにより、更新が正常に行われなかった景品の更新日時に撮影された映像を調べることで、更新が正常に行われない原因の調査、解析がより一層容易になる。
【００１６】
請求項４の発明では、請求項１〜３のいずれか１項の発明において、前記正常景品収容部及び異常景品収容部に収容される景品の数をそれぞれ集計する集計手段を更に備えているものとする。
【００１７】
このことで、集計手段により集計された、正常景品収容部及び異常景品収容部の景品の数を表示したり印字したりすることで、正常景品収容部及び異常景品収容部の景品の数が直ぐに分かり、景品が例えば景品カセット内に収容された状態にあって見ることができなくても、その景品の数が分かって便利である。また、更新が正常に行われないという現象の発生頻度が直ぐに分かり、その発生頻度が高い場合には、装置を停止させるといった対応が即座に行える。
【００１８】
請求項５の発明では、請求項１〜４のいずれか１項の発明において、前記景品の情報記憶部には、前記景品価値情報及び買取情報に加えて、景品毎に異なる景品識別符号の情報が記憶されており、前記異常景品収容部に収容される景品の情報記憶部に記憶されかつ前記情報読取手段により読み取られた景品識別符号情報を記憶する記憶手段と、前記記憶手段に記憶された景品識別符号情報を出力する出力手段とを更に備えているものとする。
【００１９】
このことにより、更新が正常に行われなかった景品の景品識別符号情報から、その景品が、例えばどの遊技ホールの景品払出機から払い出されたものであるかが分かり、更新が正常に行われない原因の調査、解析がより一層容易になる。尚、出力手段としては、景品識別符号情報を印刷出力するものであってもよく、通信により管理装置等へ出力するものであってもよい。
【００２０】
請求項６の発明は、少なくとも景品価値情報と未買取のものであるか又は買取済みのものであるかを示す買取情報とを記憶する情報記憶部を有する景品を受け入れる景品受入部と、該景品受入部にて受け入れた景品における前記情報記憶部に記憶された情報を読み取る情報読取手段と、該情報読取手段により読み取られた買取情報に基づいて、前記景品受入部にて受け入れた景品が未買取のものであるか又は買取済みのものであるかを判定する買取情報判定手段とを有する景品買取装置と、
前記景品買取装置と通信可能に接続され、前記景品買取装置の情報読取手段により読み取られた景品価値情報を該景品買取装置より受信して、該景品価値情報に基づいて貨幣を払い出す貨幣払出装置とを含む景品買取システムの発明である。
【００２１】
そして、この発明では、前記景品買取装置は、前記買取情報判定手段より前記景品が未買取のものであると判定された場合に、当該景品の情報記憶部に記憶されている買取情報を、買取済みのものとなるように更新する更新手段と、前記更新手段による前記更新が正常に行われたか否かを判定する更新判定手段と、前記更新判定手段により前記更新が正常に行われたと判定された景品を収容する正常景品収容部と、前記更新判定手段により前記更新が正常に行われなかったと判定された景品を収容する異常景品収容部と、前記更新判定手段による判定結果に応じて、前記景品を前記正常景品収容部又は異常景品収容部へ振り分ける振分け手段とを備えているものとする。
【００２２】
このことにより、景品買取装置と貨幣払出装置とが別体の場合においても、請求項１の発明と同様の作用効果が得られる。
【発明の効果】
【００２３】
以上説明したように、本発明の景品買取装置及び景品買取システムによると、景品の情報記憶部に記憶されている買取情報の更新が正常に行われたか否かを判定して、その判定結果に応じて、景品を正常景品収容部又は異常景品収容部へ振り分けるようにしたことにより、更新が正常に行われなかった景品を、更新が正常に行われた景品と容易に区別することができ、この結果、係員が景品買取装置に収容されている景品を回収する際に、その景品全てを検査する必要はなくなり、回収作業を簡略化することができる。
【発明を実施するための最良の形態】
【００２４】
以下、本発明の実施形態を図面に基づいて詳細に説明する。
【００２５】
（実施形態１）
図１は、本発明の実施形態１に係る景品買取装置２２を含む景品交換システム全体の構成を示す。図１において、１は、遊技ホール（本実施形態では、パチンコホールであるが、ゲームセンター等であってもよい）であり、２１は、遊技ホール１とは別の場所に位置し、複数（本実施形態では、２つ）の景品買取装置２２が設置された、係員が常駐していない無人の景品交換所である。尚、景品交換所２１に設置する景品買取装置２２の数は複数である必要はなく、１つのみであってもよい。
【００２６】
前記遊技ホール１内には、遊技機２（本実施形態では、パチンコ遊技機）と、遊技客が遊技機２で遊技して得た玉（遊技媒体）の数を計数する玉計数機３とが設置されている。遊技客が玉計数機３に玉を投入すると、玉計数機３が、その投入された玉の数を計数して、該計数値を記録したバーコードを含む計数レシート４を出力する。そして、遊技客は、その計数レシート４を持って、遊技ホール１内に設けられた景品交換カウンター５に行き、景品交換カウンター５の係員に前記計数レシート４を渡す。
【００２７】
前記景品交換カウンター５には、不図示のバーコードリーダを備えた景品管理機６と、該景品管理機６とシリアル通信線７を介して接続されかつ予め景品（特殊景品）１３を収容した景品払出機８とが設置されており、景品交換カウンター５の係員が、遊技客から渡された前記計数レシート４のバーコードに記録された情報（前記計数値）を、前記バーコードリーダに読み取らせる。これにより、前記計数値が景品管理機６に入力され、「特殊景品への交換」が選択されると、景品管理機６は、景品払出機８に対し、入力された前記計数値に応じて景品１３を払い出すように指示する。景品払出機８は、景品管理機６からの指示を受けて景品１３を払い出す。この景品１３が、景品交換カウンター５の係員から遊技客に渡される。
【００２８】
前記遊技台２、玉計数機３及び景品管理機６は、ＬＡＮ９を介して、これら全体の管理を行うターミナルコントローラ１０に接続されており、これらの各稼動状況等の情報がターミナルコントローラ１０に入力されるようになっている。このターミナルコントローラ１０は、入力された情報の処理を行い、その処理結果を不図示のディスプレイに表示する。そして、遊技ホール１の経営者等が、この処理結果から遊技台２等の管理を行うことができるとともに、売上管理や各種分析を行うことができる。
【００２９】
前記景品１３は、図２に示すように、情報記憶部としての非接触ＩＣタグ（ＲＦＩＤ（Radio Frequency IDentification）タグ）１４を内蔵するカード型のものである。このＩＣタグ１４は、タグ用アンテナ１５を介して無線通信を行うものであって、ＲＦＩＤアンテナに近接した際に、このＲＦＩＤアンテナから送信される無線電波を受信し、該受信した無線電波により動作用電力を起動させる。そして、ＩＣタグ１４内部（メモリ）に記憶されている情報に応じて変化させた反射波を発生させ、無線電波の送信源に対して、その情報を読み取らせるようにする。
【００３０】
前記ＩＣタグ１４内部に記憶されている情報は、コピーによる不正をチェックするための、景品１３毎に異なる景品識別符号の情報（遊技ホール１毎に異なる店番号と連番とからなる）、景品種類情報、偽造判定のためのセキュリティ情報、前記景品払出機８から払い出されたときの日時情報、後述の買取情報、景品払出機８において異常があったときのリジェクト情報等である。尚、後述の如く、景品買取装置２２が景品１３を買い取ったときには、その景品のＩＣタグ１４には、買取情報の更新の日時情報も記憶されることになる。
【００３１】
前記景品種類としては、本実施形態では、大景品、中景品及び小景品の３種類であり、例えば、大景品は５０００円に相当し、赤色の外観を有し、中景品は１０００円に相当し、青色の外観を有し、小景品は５００円に相当し、黄色の外観を有している。すなわち、景品種類は、金額と対応しており、このことで、景品種類情報は景品価値情報（金額情報）でもある。尚、各種類毎の色情報もＩＣタグ１４に記憶するようにしてもよい。
【００３２】
前記買取情報は、景品１３が未買取のものであるか又は買取済みのものであるかを示す情報であり、前記景品払出機８から払い出される際に、ＩＣタグ１４に未買取のものであるという情報（以下、払出フラグという）が書き込まれ、後述の如く景品買取装置２２が景品１３を買い取った後（遊技客が後述の紙幣出金部６１及び硬貨出金部６２から全ての貨幣２０を取り出して受け取った後）に、買取情報が買取済みのものとなるように更新される（払出フラグが消去される）ようになっている。尚、本実施形態では、ＩＣタグ１４に記憶されている情報に払出フラグが無い場合に、後述の景品制御部５８の識別判定部５８ａにおいて買取済みのものであると判定されるため、払出フラグを消去することで買取情報の更新を行うが、ＩＣタグ１４に記憶されている情報に、例えば買取済みフラグが有る場合に、買取済みのものであると判定される場合には、払出フラグを買取済みフラグに書き換えることで買取情報の更新を行えばよい。
【００３３】
また、前記景品１３の表面の印刷部１６には、景品１３の種類等が記録されたバーコードやホログラム等が印刷されている。
【００３４】
前記景品交換所２１における複数の景品買取装置２２は、シリアル通信線２３を介して互いに接続されていて情報の共有が可能になっているとともに、これら景品買取装置２２を管理する管理装置７８とも接続されている。この管理装置７８は、本実施形態では、遊技ホール１及び景品交換所２１とは別の場所にある管理会社内に設置されているが、遊技ホール１内に設置されたものであってもよく、遊技ホール１内に設置される場合、前記ターミナルコントローラ１０と兼用することも可能である。
【００３５】
前記景品交換カウンター５の係員から景品１３を渡された遊技客は、その景品１３を持って景品交換所２１へ行き、景品交換所２１内のいずれか１つの景品買取装置２２にて景品１３を貨幣２０（紙幣や硬貨）に交換する。各景品買取装置２２が買い取った景品１３は、後述の如く景品カセット７１内に収容され、この収容状態で景品問屋７５へ送られ、リサイクル使用すべく、景品問屋７５から再び遊技ホール１へ卸される（図１参照）。
【００３６】
前記景品買取装置２２は、図３〜図５に示すように、略矩形箱状の筐体３０を有し、この筐体３０内の下部に景品処理ユニット３１が、上部に貨幣処理ユニット３２がそれぞれ配設されている。また、前記筐体３０内には、景品処理ユニット３１及び貨幣処理ユニット３２を制御する全体制御ユニット３３が設けられている。さらに、景品買取装置２２には、前記ユニット３１〜３３の他に、遊技客（景品買取装置２２の利用者）が操作する交換スタートスイッチ等が設けられた操作部３４と、遊技客が操作可能で各種情報を表示するタッチパネル式の液晶からなる表示部３５と、遊技客に渡す、景品買取の明細等を記載した買取レシートを印字するレシート印字部３６と、景品買取装置２２の前側を撮像する監視カメラ３７と、各種情報を記憶する記憶部３８と、前記各ユニット３１〜３３等に必要に応じて電源を供給する電源部３９と、他の景品買取装置２２及び前記管理装置７８と前記シリアル通信線２３を介して通信を行うための通信部４０とが設けられており、これら各部３４〜４０は前記全体制御ユニット３３に接続されている。
【００３７】
前記筐体３０の正面には、前記操作部３４と、前記表示部３５と、前記監視カメラ３７と、前記景品１３を受け入れる景品受入部としての景品投入部４１における筐体正面側部分を構成する景品投入用開口部４１ｄと、前記景品投入部４１から景品買取装置２２内に一旦取り込んだ景品１３を遊技客に返却するための第１及び第２景品返却部５２，５３における筐体正面側部分をそれぞれ構成する第１及び第２景品返却用開口部５２ｃ，５３ｃと、前記レシート印字部３６で印字した買取レシートを出力するためのレシート発行口６０と、遊技客が紙幣（本実施形態では、１００００円紙幣及び１０００円紙幣）を受け取るための紙幣出金部６１における筐体正面側部分を構成する紙幣出金用開口部６１ａと、遊技客が硬貨（本実施形態では、５００円硬貨）を受け取るための硬貨出金部６２における筐体正面側部分を構成する硬貨出金用開口部６２ａとが配設されている（図３及び図４参照）。
【００３８】
前記景品処理ユニット３１には、前記景品投入部４１と、景品識別部４２と、第１分岐部４３と、景品を一時的に保留しておく一時保留部４４と、景品１３のＩＣタグ１４に対して読出し及び書込みが可能な更新部４５と、第２分岐部４６と、内部リジェクト部４７と、カウンタ部４８と、上流側搬送部４９ａ及び下流側搬送部４９ｂからなる景品搬送部４９と、この景品搬送部４９における上流側搬送部４９ａと下流側搬送部４９ｂとの間に設けられた第３分岐部５０と、下流側搬送部４９ｂの下側に設けられた景品収容部５１と、前記第１及び第２景品返却部５２，５３と、これら各部の動作を制御する景品制御部５８とが設けられている（図４及び図５参照）。
【００３９】
前記第１分岐部４３は、景品識別部４２から送り出された景品１３を、後述の如く一時保留部４４又は第１景品返却部５２へ振り分けるように構成され、前記第２分岐部４６は、更新部４５から送り出された景品１３を、後述の如く内部リジェクト部４７又は景品搬送部４９の上流側搬送部４９ａへ振り分けるように構成され、前記第３分岐部５０は、景品搬送部４９の上流側搬送部４９ａから送られてきた景品１３を、後述の如く下流側搬送部４９ｂ又は第２景品返却部５３へ振り分けるように構成されている。
【００４０】
前記景品投入部４１には、該景品投入部４１において筐体３０正面に開口する前記景品投入用開口部４１ｄを開閉するシャッタ４１ａ（駆動機構を含む）と、景品投入部４１に景品１３が投入（セット）されたことを検知する投入検知センサ４１ｂと、景品投入部４１に投入された景品１３（通常、複数の景品１３が投入される）を、景品識別部４２へ１つずつ繰り出すための繰出機構４１ｃとが設けられている（図５参照）。前記シャッタ４１ａは、遊技客の操作部３４における交換スタートスイッチの操作を受けて開状態となり、投入検知センサ４１ｂにより景品１３が投入されたことを検知したとき、シャッタ４１ａが閉状態となるとともに、繰出機構４１ｃが作動して、その景品１３を景品識別部４２へ１つずつ繰り出す。
【００４１】
前記景品識別部４２は、景品投入部４１から送られてきた景品１３のＩＣタグ１４に記憶された全ての情報を読み取るための機能を有している（ＲＦＩＤアンテナを有している）。このことで、景品識別部４２は、景品１３のＩＣタグ１４（情報記憶部）に記憶された情報を読み取る情報読取手段を構成することになる。この景品識別部４２で読み取られた情報が景品制御部５８の識別判定部５８ａに入力されるとともに、記憶部３８に記憶される。そして、識別判定部５８ａは、その入力された情報に基づいて、景品１３の種類（つまり景品価値）、景品１３の真偽及び払出フラグの有無を判定する。このことで、識別判定部５８ａは、景品が未買取のものであるか又は買取済みのものであるかを判定する買取情報判定手段を構成することになる。
【００４２】
前記識別判定部５８ａにおいて、偽造（コピーを含む）の可能性があると判定される（情報が読み取れない場合を含む）か、又は払出フラグが無くて買取済みのものであると判定された場合には、景品制御部５８は、第１分岐部４３に対して第１景品返却部５２への振分け動作をさせて、当該景品１３を第１景品返却部５２へ搬送させるようにする。
【００４３】
一方、前記識別判定部５８ａにおいて、正規の景品１３であると判定されかつ払出フラグが有って未買取のものであると判定された場合には、景品制御部５８は、第１分岐部４３に対して一時保留部４４への振分け動作をさせて、当該景品１３を一時保留部４４へ搬送させるようにする。これにより、一時保留部４４には、正規かつ未買取の景品１３が集積され、ここに一時保留される。
【００４４】
前記全体制御ユニット３３は、景品投入部４１に投入されかつ景品識別部４２へ繰り出された景品１３のうちで正規かつ未買取の景品１３全てが一時保留部４４に集積された後に、前記識別判定部５８ａで判定された景品価値に基づいて、その全景品１３に対して払い出すべき金額を表示部３５に表示させる。この表示を受けて、遊技客が払い出しを許可する操作を行うと、全体制御ユニット３３は、前記貨幣処理ユニット３２を動作させる。これにより、貨幣処理ユニット３２は、前記払出金額に応じて、紙幣を紙幣出金部６１へ、硬貨を硬貨出金部６２へそれぞれ払い出す。このことで、貨幣処理ユニット３２は、景品価値情報に基づいて貨幣２０を払い出す貨幣払出手段を構成することになる。一方、前記払出金額の表示後に、遊技客が貨幣２０の払い出しを中止する操作を行うと、貨幣２０は払い出されず、一時保留部４４に一時保留されている景品１３が後述の如く遊技客に返却される。尚、遊技客の払い出しを許可する操作や払い出しを中止する操作を受け付けないで、正規かつ未買取の景品１３全てが一時保留部４４に集積された後に自動的に貨幣２０を払い出すようにしてもよい。
【００４５】
前記景品制御部５８は、後述の如く貨幣２０が正常に払い出された場合において、遊技客が紙幣出金部６１及び硬貨出金部６２から全ての貨幣２０を取り出して受け取った後（後述の紙幣有無検知センサ６６ｃ及び硬貨有無検知センサ６７ｃにより紙幣及び硬貨をそれぞれ検知しなくなった後）に、一時保留部４４に対し、一時保留されている景品１３を更新部４５へ送り出させるようにする。更新部４５は、未買取のものであると判定された景品１３のＩＣタグ１４に記憶されている買取情報を、買取済みのものとなるように更新するべく、払出フラグを消去する。このことで、更新部４５は、景品１３のＩＣタグ１４に記憶されている買取情報を、買取済みのものとなるように更新する更新手段を構成することになる。ここで、更新部４５は、買取情報の更新に加えて、その更新の日時の情報を景品１３のＩＣタグ１４に書き込むようにすることが好ましい。
【００４６】
そして、更新部４５は、払出フラグを消去した後に、景品１３のＩＣタグ１４に記憶されている情報を読み取る。この情報は、景品制御部５８の更新判定部５８ｂに入力され、更新判定部５８ｂは、その入力された情報に基づいて、前記更新が正常に行われたか否かを判定する。すなわち、ＩＣタグ１４に記憶されている情報に払出フラグが無い場合には、更新が正常に行われたと判定し、払出フラグが有る場合には、更新が正常に行われなかったと判定する。このことで、更新判定部５８ｂは、買取情報の更新が正常に行われたか否かを判定する更新判定手段を構成することになる。
【００４７】
前記更新判定部５８ｂにおいて、更新が正常に行われたと判定された場合には、景品制御部５８は、第２分岐部４６に対して景品搬送部４９の上流側搬送部４９ａへの振分け動作をさせて、当該景品１３を上流側搬送部４９ａへ搬送させるようにする。このとき、景品制御部５８は、第３分岐部５０に対して下流側搬送部４９ｂへの振分け動作をさせるようになっており、更新が正常に行われたと判定された景品１３は、景品搬送部４９の上流側搬送部４９ａ、第３分岐部５０及び下流側搬送部４９ｂを通って景品収容部５１へ収容される。このことで、景品収容部５１は、更新が正常に行われたと判定された景品１３を収容する正常景品収容部に相当する。
【００４８】
一方、更新判定部５８ｂにおいて、更新が正常に行われなかったと判定された場合には、景品制御部５８は、第２分岐部４６に対して内部リジェクト部４７への振分け動作をさせて、当該景品１３を内部リジェクト部４７へ搬送させるようにする。これにより、内部リジェクト部４７には、更新が正常に行われなかったと判定された景品１３が収容される。このことで、内部リジェクト部４７は、更新が正常に行われなかったと判定された景品１３を収容する異常景品収容部に相当する。また、景品制御部５８及び第２分岐部４６は、更新判定部５８ｂによる判定結果に応じて、景品１３を景品収容部５１（正常景品収容部）又は内部リジェクト部４７（異常景品収容部）へ振り分ける振分け手段を構成することになる。
【００４９】
前記第２分岐部４６には、景品搬送部４９の上流側搬送部４９ａ（景品１３を景品収容部５１へ収容する場合であって後述の如く第２景品返却部５３へ搬送する場合を除く）へ振り分けた景品１３の数と、内部リジェクト部４７へ振り分けた景品１３の数とをそれぞれ集計するカウンタ部４８が設けられており、このカウンタ部４８は、景品１３を景品収容部５１又は内部リジェクト部４７へ振り分ける毎に、該当するカウンタ値を１アップさせ（本実施形態では、景品種類毎にそれぞれカウントする）、景品制御部５８は、そのカウンタ値を記憶部３８に記憶させるようにする。このことで、カウンタ部４８は、景品収容部５１（正常景品収容部）及び内部リジェクト部４７（異常景品収容部）に収容される景品１３の数をそれぞれ集計する集計手段を構成することになる。また、景品制御部５８は、内部リジェクト部４７へ振り分けた景品１３の景品識別符号も記憶部３８に記憶させるようにする。このことで、記憶部３８は、景品識別符号情報を記憶する記憶手段を構成することになる。
【００５０】
前記景品収容部５１には、複数の景品カセット７１が装填されており、各景品カセット７１にいずれの種類の景品１３を収容するかを、景品交換所２１の係員が予め設定できるようになっている。そして、景品搬送部４９の下流側搬送部４９ｂは、景品１３を、識別判定部４２で読み取られた景品種類情報に応じて、該当する景品カセット７１へ振り分ける機能を有しており、各景品カセット７１内に、前記設定された種類の景品１３が収容されることになる。
【００５１】
前記各景品カセット７１には、景品１３を支持する支持部材を上下移動させる移動機構が設けられ、この支持部材は、景品１３が空の状態では最上部に位置している。そして、景品収容部５１には、各景品カセット７１の移動機構を、景品カセット７１に収容される景品１３の数に応じて下側へ移動させる移動手段が設けられている。
【００５２】
また、各景品カセット７１には、収容する景品の種類情報と景品カセット７１が装填される景品買取装置２２の番号情報（各景品買取装置２２毎に異なる番号が付与されている）とを記憶する記憶部が設けられており、景品問屋７５では、景品カセット７１の記憶部に記憶されている情報を読み取ることで、景品カセット７１にどの種類の景品１３が収容されているかが分かる。各景品カセット７１の記憶部には、その他に、景品カセット７１に収容された景品１３の数を記憶するようにしてもよい。
【００５３】
尚、各景品カセット７１にいずれの種類の景品１３が収容されるかは、景品交換所２１の係員の前記設定により決まるが、当初はその設定通りに運用し、その運用途中で、収容した景品１３の各種類の数に応じて自動的に変更するようにしてもよい。但し、１つの景品カセット７１内に複数種類の景品１３が収容されないようにする。すなわち、例えば大景品用として設定した未だ空の景品カセット７１を、大景品の数が少なくて中景品の数が多い場合に、途中で中景品用に変更する。この場合、種類を変更する景品カセット７１の記憶部に記憶されている景品種類情報を書き換えるようにする。
【００５４】
前記のように遊技客が貨幣２０の払い出しを中止する操作を行った場合、又は、後述の如く貨幣２０が正常に払い出されなかった場合には、景品制御部５８は、一時保留部４４に対し、一時保留されている景品１３を更新部４５へ送り出させた後、該景品１３を遊技客に返却させるようにする。すなわち、景品制御部５８は、第２分岐部４６に対して上流側搬送部４９ａへの振分け動作をさせるとともに、第３分岐部５０に対して第２景品返却部５３への振分け動作をさせて、一時保留部４４に一時保留されている景品１３を、更新部４５、第２分岐部４６、上流側搬送部４９ａ及び第３分岐部５０を経て第２景品返却部５３へ搬送させるようにする。このとき、更新部４５は、買取情報の更新は行わない（払出フラグを消去しない）。
【００５５】
前記第１景品返却部５２には、該第１景品返却部５２において筐体３０正面に開口する前記第１景品返却用開口部５２ｃを開閉するシャッタ５２ａ（駆動機構を含む）と、第１景品返却部５２における景品１３の有無を検知する景品有無検知センサ５２ｂとが設けられている。前記シャッタ５２ａは、景品有無検知センサ５２ｂにより第１景品返却部５２に景品１３が有ることが検知されたときに開状態となり、遊技客が景品１３を第１景品返却用開口部５２ｃを介して第１景品返却部５２から取り出して受け取り、景品有無検知センサ５２ｂにより第１景品返却部５２に景品１３が無いことが検知されたときに閉状態となる。
【００５６】
また、前記第２景品返却部５３にも、第１景品返却部５２と同様に、第２景品返却部５３において筐体３０正面に開口する前記第２景品返却用開口部５３ｃを開閉するシャッタ５３ａ（駆動機構を含む）と、第２景品返却部５３における景品１３の有無を検知する景品有無検知センサ５３ｂとが設けられている。このシャッタ５３ａの開閉動作も前記シャッタ５２ａと同様である。
【００５７】
前記貨幣処理ユニット３２は、図５に示すように、紙幣を紙幣出金部６１へ払い出す紙幣払出装置６６と、硬貨を硬貨出金部６２へ払い出す硬貨払出装置６７と、これらの動作を制御する貨幣制御部６８とが設けられている。
【００５８】
前記紙幣払出装置６６には、紙幣を紙幣収容部６３（図４参照）から紙幣出金部６１へ搬送する紙幣搬送部６６ａと、紙幣出金部６１において筐体３０正面に開口する前記紙幣出金用開口部６１ａを開閉するシャッタ６６ｂ（駆動機構を含む）と、紙幣出金部６１における紙幣の有無を検知する紙幣有無検知センサ６６ｃと、紙幣搬送部６６ａにおける所定の複数箇所（１箇所であってもよい）に配設され、紙幣の通過を検知する紙幣通過検知センサ６６ｄとが設けられている。
【００５９】
また、前記硬貨払出装置６７にも、紙幣払出装置６６と同様に、硬貨を硬貨収容部（図示せず）から硬貨出金部６２へ搬送する硬貨搬送部６７ａと、硬貨出金部６２において筐体３０正面に開口する前記硬貨出金用開口部６２ａを開閉するシャッタ６７ｂ（駆動機構を含む）と、硬貨出金部６２における硬貨の有無を検知する硬貨有無検知センサ６７ｃと、硬貨搬送部６７ａにおける所定の複数箇所（１箇所であってもよい）に配設され、硬貨の通過を検知する硬貨通過検知センサ６７ｄとが設けられている。
【００６０】
前記シャッタ６６ｂは、紙幣の払出前において閉状態にあって、後述の異常監視部６８ａにより貨幣２０が正常に払い出されたと判定された場合に開状態となり、遊技客が紙幣を紙幣出金用開口部６１ａを介して紙幣出金部６１から取り出して受け取り、紙幣有無検知センサ６６ｃにより紙幣出金部６１に紙幣が無いことが検知されたときに閉状態となる。また、前記シャッタ６７ｂも同様に、硬貨の払出前において閉状態にあって、異常監視部６８ａにより貨幣２０が正常に払い出されたと判定された場合に開状態となり、遊技客が硬貨を硬貨出金用開口部６２ａを介して硬貨出金部６２から取り出して受け取り、硬貨有無検知センサ６７ｃにより硬貨出金部６２に硬貨が無いことが検知されたときに閉状態となる。
【００６１】
前記貨幣制御部６８には、前記紙幣有無検知センサ６６ｃ、紙幣通過検知センサ６６ｄ、硬貨有無検知センサ６７ｃ及び硬貨通過検知センサ６７ｄからの情報を入力して該入力情報に基づいて、貨幣２０が紙幣出金部６１又は硬貨収容部６２へ正常に払い出されたか否かを判定する異常監視部６８ａが設けられている。この異常監視部６８ａは、紙幣や硬貨（特に紙幣）が紙幣出金部６１や貨幣出金部６２への搬送途中で突っ掛かる等して、紙幣や硬貨が紙幣収容部６３や硬貨収容部から搬送開始されたときから所定時間（各センサ毎に異なる）が経過しても紙幣や硬貨を検知できないとき、又は同じセンサで紙幣や硬貨を所定時間以上検知し続けているときに、貨幣２０が正常に払い出されなかったと判定する。そして、最終的に紙幣有無検知センサ６６ｃ及び硬貨有無検知センサ６７ｃにより、払い出すべき貨幣２０全てが検知されたとき（紙幣及び硬貨のいずれか一方しか払い出さない場合には、その一方の全てが検知されたとき）に、貨幣２０が正常に払い出されたと判定する。
【００６２】
前記異常監視部６８ａが、貨幣２０が正常に払い出されなかったと判定した場合には、前記のように、一時保留部４４に一時保留されている景品１３が遊技客に返却される。そして、貨幣制御部６８は、貨幣２０が正常に払い出されず異常が発生した旨を全体制御ユニット３３に送信し、全体制御ユニット３３は、その旨を、通信部４０を介して管理装置７８へ報知するとともに、表示部３５に表示して遊技客に報知する。尚、遊技客への報知は、音声によるものであってもよい。また、遊技客への報知により遊技客に景品返却の確認操作を促し、遊技客が該確認操作を行ったときに景品１３を遊技客に返却するようにしてもよい。
【００６３】
一方、異常監視部６８ａが、貨幣２０が正常に払い出されたと判定した場合（つまり、（紙幣有無検知センサ６６ｃ及び硬貨有無検知センサ６７ｃにより、払い出すべき全ての貨幣２０を検知した場合）には、貨幣制御部６８は、シャッタ６６ｂ，６７ｂを開状態とし、払い出された貨幣２０を遊技客が取り出して受け取れるようにする。そして、遊技客が紙幣出金部６１や硬貨出金部６２から全ての貨幣２０を受け取った後（紙幣有無検知センサ６６ｃ及び硬貨有無検知センサ６７ｃにより紙幣及び硬貨をそれぞれ検知しなくなった後）に、シャッタ６６ｂ，６７ｂを閉状態にする。その後、前記のように、一時保留されている景品１３が更新部４５へ送り出されて買取情報の更新が行われ、この更新が正常に行われたか否かに応じて、景品１３が景品収容部５１又は内部リジェクト部４７へ振り分けられることになる。
【００６４】
以下、景品買取装置２２の処理の流れに沿って動作を説明する。
【００６５】
前記遊技ホール１から景品１３を持って景品交換所２１に来た遊技客が、景品買取装置２２の前に立って操作部３４の交換スタートスイッチを操作すると、景品投入部４１における景品投入用開口部４１ｄのシャッタ４１ａが開状態となる。そして、遊技客が、景品投入用開口部４１ｄを介して景品投入部４１に全ての景品１３を纏めて投入（セット）すると、その景品１３が景品識別部４２へ１つずつ送られて、そこで景品１３のＩＣタグ１４に記憶された情報が順次読み取られる。
【００６６】
そして、景品制御部５８の識別判定部５８ａにより、前記読み取られた情報から、景品１３の価値、景品１３の真偽及び払出フラグの有無が判定され、偽造の可能性があると判定されるか、又は買取済みのものであると判定された場合には、景品１３が第１分岐部４３から第１景品返却部５２へ搬送されて遊技客に返却される。
【００６７】
一方、識別判定部５８ａにより、正規の景品１３であると判定されかつ未買取のものであると判定された場合には、その正規かつ未買取の景品１３が一時保留部４４へ送られてそこで一時保留される。そして、正規かつ未買取の景品１３全てが一時保留部４４に集積された後、当該景品１３全てに対して払い出すべき金額が表示部３５に表示され、この表示を受けて、遊技客が払い出しを許可する操作を行うと、前記払出金額に応じて、紙幣出金部６１に紙幣が、硬貨出金部６２に硬貨がそれぞれ払い出され、払い出すべき貨幣２０全てが正常に払い出された場合には、シャッタ６６ｂ，６７ｂが開状態となるので、遊技客は、それら紙幣及び硬貨を紙幣出金部６１及び硬貨出金部６２からそれぞれ取り出すことができる。また、景品買取の明細等を記載した買取レシートが、レシート印字部３６によって印字されて、レシート発行口６０から出力される。
【００６８】
遊技客が紙幣出金部６１や硬貨出金部６２から全ての貨幣２０を取り出して受け取った後に、一時保留部４４に一時保留されている景品１３は更新部４５へ送られ、更新部４５で買取情報の更新がなされる（払出フラグが消去される）。その更新後に、更新部４５で、景品１３のＩＣタグ１４に記憶されている情報が読み取られ、景品制御部５８の更新判定部５８ｂにおいて、この情報に基づいて前記更新が正常に行われたか否かが判定される。
【００６９】
更新判定部５８ｂにより前記更新が正常に行われたと判定された景品１３は、景品搬送部４９の上流側搬送部４９ａ、第３分岐部５０及び下流側搬送部４９ｂを経て景品収容部５１へと送られてそこに収容される一方、前記更新が正常に行われなかったと判定された景品１３は、内部リジェクト部４７へ収容される。
【００７０】
前記払出金額の表示後に、遊技客が払い出しを中止する操作を行うと、一時保留部４４に一時保留されている景品１３が、更新部４５、第２分岐部４６、上流側搬送部４９ａ及び第３分岐部５０を経て第２景品返却部５３へ搬送されて遊技客に返却される。このとき、更新部４５において買取情報の更新は行われない。
【００７１】
また、貨幣制御部６８の異常監視部６８ａにおいて貨幣２０が正常に払い出されなかったと判定された場合も、前記中止操作時と同様に、一時保留部４４に一時保留されている景品１３が第２景品返却部５３へ搬送されて遊技客に返却される。このときも、更新部４５において買取情報の更新は行われない。これにより、遊技客は、返却された景品１３（前記中止操作により返却された景品１３を含む）を、別の景品買取装置２２により貨幣２０に交換することができ、係員が来るまで待つ必要はなくて、貨幣２０を直ぐに受け取ることができる。また、景品交換所２１において正常に作動している景品買取装置２２が他にない場合（特に景品交換所２１に１つの景品買取装置２２しかない場合）や、正常に作動しているものが少なくとも１つ存在する場合であっても、例えば多くの遊技客が並んでいる場合には、遊技客は、その景品１３を持ち帰って、後日、正常に復旧した前回と同じ景品買取装置２２、又は別の景品買取装置２２により貨幣２０に交換することも可能である。
【００７２】
また、異常監視部６８ａにおいて貨幣２０が正常に払い出されなかったと判定された場合には、異常が発生した旨が管理装置７８に報知され、これを受けて、管理会社の係員が、異常が発生した景品買取装置２２のところへ来て対処する。
【００７３】
前記景品買取装置２２は、係員コードを入力することでメンテナンスモードに設定することができるようになっており、係員は、景品買取装置２２をメンテナンスモードに設定して、景品１３を収容した各景品カセット７１を景品収容部５１から取り出して回収し、新たな空の景品カセット７１を装填する。また、内部リジェクト部４７に景品１３が収容されている場合には、その景品１３は、更新が正常に行われなかった景品１３であるので、景品カセット７１とは別に回収する。
【００７４】
さらに、メンテナンスモードにおいては、係員の所定の操作によって、前記レシート印字部３６（メンテナンスモード専用に設けたレシート印字部であってもよい）により、例えば図６に示すような回収景品リスト８０を印字し出力させることができる。この回収景品リスト８０には、前記記憶部３８に記憶されているカウンタ値（景品収容部５１へ振り分けられた景品１３の各種類の数及び内部リジェクト部４７へ振り分けられた景品１３の各種類の数）及び内部リジェクト部４７へ振り分けた景品１３の景品識別符号が記載されるとともに、その内容がバーコード８１表示される。このことで、レシート印字部３６は、景品識別符号情報を出力する出力手段を構成することになる。尚、回収景品リスト８０に表示される内容を、通信部４０により管理装置７８へ出力するようにしてもよい（この場合には、通信部４０が出力手段を構成する）。
【００７５】
そして、前記回収した景品カセット７１及び回収景品リスト８０は共に、景品問屋７５へ送られる。景品カセット７１内の景品１３は、更新が正常に行われた景品１３であるので、異常がなくて、異常の有無の検査をすることなくリサイクル使用することができる。景品問屋７５では、回収景品リスト８０のバーコード８１の内容を読み取ることで、回収景品リスト８０の内容を電子データで保存することができる。
【００７６】
内部リジェクト部４７に景品１３が収容されている場合、係員は、その景品１３について更新が正常に行われなかった原因を調査する。この調査時に、景品１３のＩＣタグ１４に更新日時情報が書き込まれていると、更新が正常に行われないという現象がどのようなタイミングで発生しているのかといった情報が得られ、更新が正常に行われない原因の調査、解析が容易になる。また、監視カメラ３７により、更新が正常に行われなかった景品１３の更新日時に撮影された映像を調べることで、更新が正常に行われない原因の調査、解析を行うこともできる。
【００７７】
したがって、本実施形態１では、景品１３のＩＣタグ１４に買取情報を記憶するようにしておき、景品払出機８が景品１３を払い出す際に、買取情報を未買取のものとなるように書き込み、景品買取装置２２が、その景品１３を買い取った後に、買取情報を買取済みのものとなるように更新し、その更新が正常に行われたか否かを判定して、その判定結果に応じて、景品１３を景品収容部５１又は内部リジェクト部４７へ振り分けるようにしたので、前記更新が正常に行われなかった景品１３を、更新が正常に行われた景品１３と容易に区別することができ、更新が正常に行われなかった原因の調査等に直ぐに回すことができる。また、更新が正常に行われた景品１３は、異常の有無の検査をすることなくリサイクル使用することができる。よって、係員は、景品買取装置２２に収容されている景品１３を回収する際に、その景品１３全てを検査する必要はなくなり、回収作業を簡略化することができる。
【００７８】
（実施形態２）
図７は、本発明の実施形態２に係る景品買取装置２２、及び、該景品買取装置２２と貨幣払出装置９０とを含む景品買取システムの構成を示す。この景品買取システムは、係員が常駐している景品交換所２１に好適なものであるが、前記実施形態１のような無人の景品交換所にも適用することは可能である。本実施形態では、景品交換所２１に係員が常駐しているものとする。
【００７９】
本実施形態に係る景品買取装置２２は、前記実施形態１で説明した貨幣処理ユニット３２を備えておらず、景品処理ユニット２２と同様の機能のみを有している。そして、景品買取装置２２とは別体の貨幣払出装置９０が、前記実施形態１の貨幣処理ユニット３２と同様の機能を有している。図７では、前記実施形態１（図５）と同じ機能を有するものについては、同じ符号を付してその詳細な説明は省略する。尚、操作部３４、表示部３５、レシート印字部３６、監視カメラ３７、記憶部３８、電源部３９及び通信部４０は、景品制御部５８に接続されている。また、通信部４０は、他の景品買取装置２２及び前記管理装置７８との通信に加えて、前記貨幣払出装置９０と通信を行うために、貨幣払出装置９０に設けた後述の通信部９７と通信可能に接続されている。
【００８０】
前記貨幣払出装置９０は、紙幣払出装置６６、硬貨払出装置６７及び貨幣制御部６８に加えて、景品買取装置２２と同様に、操作部９１、表示部９２、レシート印字部９３、監視カメラ９４、記憶部９５、電源部９６及び通信部９７を有し、これらが貨幣制御部６８に接続されている。
【００８１】
前記景品買取装置２２の景品制御部５８は、貨幣払出装置９０の貨幣制御部６８へ、該両装置２２，９０の通信部４０，９７を介して、景品投入部４１に投入された景品１３のうちで正規かつ未買取の全景品１３に対して払い出すべき金額の情報（景品価値情報）を送信し、貨幣制御部６８は、この払出金額の情報を受信して、該情報に基づいて、紙幣を紙幣出金部６１へ、硬貨を硬貨出金部６２へそれぞれ払い出す。
【００８２】
貨幣払出装置９０の貨幣制御部６８は、前記紙幣出金部６１及び硬貨出金部６２へ払い出された貨幣２０が紙幣有無検知センサ６６ｃ及び硬貨有無検知センサ６７ｃにより検知されなくなった後、景品買取装置２２の景品制御部５８へ、通信部４０，９７を介して、取引完了通知を送信する。そして、景品制御部５８は、この取引完了通知を受信したとき、前記実施形態１と同様に、一時保留部４４に対し、一時保留されている景品１３を更新部４５へ送り出させ、更新部４５は、景品１３のＩＣタグ１４に記憶されている買取情報を、買取済みのものとなるように更新する（払出フラグを消去する）。そして、前記実施形態１と同様に、前記更新が正常に行われたか否かを判定して、その判定結果に応じて、景品１３を景品収容部５１又は内部リジェクト部４７へ振り分けることになる。
【００８３】
以下、景品買取装置２２及び貨幣払出装置９０の処理の流れに沿って動作を説明する。
【００８４】
遊技ホール１から景品１３を持って景品交換所２１に来た遊技客は、その景品１３を景品交換所２１の係員に渡し、景品交換所２１の係員が、景品買取装置２２の操作部３４を操作して、景品投入部４１における景品投入用開口部４１ｄのシャッタ４１ａを開状態にして、その景品１３全てを景品投入部４１に纏めて投入する。尚、係員が景品１３を投入する場合には、シャッタ４１ａをなくして、係員がシャッタ４１ａを開ける操作をしなくても景品１３を景品投入部４１に投入できるようにしてもよい。
【００８５】
前記景品投入部４１に投入された景品１３は、前記実施形態１と同様に、景品識別部４２へ１つずつ送られて、そこで景品１３のＩＣタグ１４に記憶された情報が順次読み取られ、識別判定部５８ａにより、偽造の可能性があると判定されるか、又は買取済みのものであると判定された場合には、景品１３が第１景品返却部５２へ搬送される。
【００８６】
一方、識別判定部５８ａにより、正規の景品１３であると判定されかつ未買取のものであると判定された場合には、その正規かつ未買取の景品１３が一時保留部４４へ送られてそこで一時保留され、その後、当該景品１３全てに対して払い出すべき金額が表示部３５に表示される。係員は、遊技客に対し、その払出金額を承認するか否かを聞き、遊技客が承認する場合には、係員が操作部３４により払出許可の操作を行う。遊技客が承認しない場合には、係員が払出中止の操作を行う。
【００８７】
前記払出許可の操作により、前記払出金額の情報が貨幣払出装置９０の貨幣制御部６８から貨幣払出装置９０の貨幣制御部６８へ送信され、貨幣制御部６８は、この払出金額の情報に応じて、紙幣を紙幣出金部６１へ、硬貨を硬貨出金部６２へそれぞれ払い出す。
【００８８】
係員が、その払い出された貨幣２０を紙幣出金部６１及び硬貨出金部６２から取り出し、その貨幣２０を遊技客に渡す。尚、係員が貨幣２０の取出しを行う場合には、シャッタ６６ｂ，６７ｂをなくしてもよい。
【００８９】
ここで、景品交換所２１に係員が常駐していない場合には、前記実施形態１と同様に、遊技客自らが、景品１３の投入や、払出許可又は中止の操作、貨幣２０の取出しを行うことになる。
【００９０】
前記紙幣出金部６１及び硬貨出金部６２から貨幣２０全てが取り出された後、貨幣払出装置９０の貨幣制御部６８から景品買取装置２２の景品制御部５８へ取引完了通知が送信され、景品制御部５８が該取引完了通知を受信すると、一時保留部４４に一時保留されている景品１３が更新部４５へ送られ、更新部４５で、景品１３のＩＣタグ１４に記憶されている買取情報が更新される。
【００９１】
前記更新後に、景品制御部５８の更新判定部５８ｂにおいて、前記更新が正常に行われたか否かが判定され、更新判定部５８ｂにより前記更新が正常に行われたと判定された景品１３は、景品収容部５１へと送られてそこに収容される一方、前記更新が正常に行われなかったと判定された景品１３は、内部リジェクト部４７へ収容されることになる。
【００９２】
したがって、本実施形態２では、景品買取装置２２と貨幣払出装置９０とが別体ではあるが、貨幣払出装置９０の紙幣出金部６１及び硬貨出金部６２から全ての貨幣２０が取り出された後に、景品買取装置２２において、前記実施形態１と同様に、景品１３のＩＣタグ１４に記憶されている買取情報を買取済みのものとなるように更新し、その更新が正常に行われたか否かを判定して、その判定結果に応じて、景品１３を景品収容部５１又は内部リジェクト部４７へ振り分けるようにしたので、前記実施形態１と同様の作用効果が得られる。
【００９３】
本発明の構成は、前記実施形態１及び２に限定されるものではなく、それ以外の種々の構成を包含するものである。
【００９４】
例えば、前記実施形態１及び２では、景品１３において景品種類情報（景品価値情報）や買取情報を記憶する情報記憶部としてＩＣタグ１４を用いたが、景品の情報記憶部としては、ＩＣタグ１４に限らず、例えば磁気ストライプ等であってもよい。この場合、景品識別部４２は、磁気ストライプ等に記憶された情報を読取り可能な構成とすればよい。
【００９５】
また、景品１３の情報記憶部に記憶させる情報としては、少なくとも景品価値情報及び買取情報であればよい。
【産業上の利用可能性】
【００９６】
本発明は、遊技ホールが遊技客に提供した景品を買い取る景品買取装置及び景品買取システムに有用である。
【図面の簡単な説明】
【００９７】
【図１】本発明の実施形態１に係る景品買取装置を含む景品交換システム全体の構成を示す概略図である。
【図２】景品の斜視図である。
【図３】景品買取装置の斜視図である。
【図４】景品買取装置の内部構成を示す概略図である。
【図５】景品買取装置の構成を示すブロック図である。
【図６】回収景品リストの一例を示す図である。
【図７】本発明の実施形態２に係る景品買取装置、及び、該景品買取装置と貨幣払出装置とを含む景品買取システムの構成を示すブロック図である。
【符号の説明】
【００９８】
１３    景品
１４    ＩＣタグ（情報記憶部）
２２    景品買取装置
３２    貨幣処理ユニット（貨幣払出手段）
３６    レシート印字部（出力手段）
３８    記憶部（記憶手段）
４１    景品投入部（景品受入部）
４２    景品識別部（情報読取手段）
４５    更新部（更新手段）
４６    第２分岐部（振分け手段）
４７    内部リジェクト部（異常景品収容部）
４８    カウンタ部（集計手段）
５１    景品収容部（正常景品収容部）
５８    景品制御部（振分け手段）
５８ａ  識別判定部（買取情報判定手段）
５８ｂ  更新判定部（更新判定手段）
８０    回収景品リスト
９０    貨幣払出装置
【図１】
0005054497.tif 000002
【図３】
0005054497.tif 000003
【図４】
0005054497.tif 000004
【図５】
0005054497.tif 000005
【図６】
0005054497.tif 000006
【図７】
0005054497.tif 000007
【図２】
0005054497.tif 000008